(57)【要約】【課題】車載用のデジタル放送受信機が異常な動作環境に置かれた場合であっても、デジタルテレビ放送の視聴が中断されるのを防ぐことができる「車載用デジタル放送受信システム」を提供する。【解決手段】デジタルテレビ放送信号を受信するデジタル放送受信機１０から得られる映像信号Ｖ１、デジタルテレビ放送信号を受信する携帯電話２０から得られる映像信号Ｖ２との間で車載用表示装置５０へ出力する選択映像信号ＳＶを選択的に切り換えるセレクタ４０と、デジタルテレビ放送受信機１０の置かれた動作環境に応じてセレクタ４０の出力を制御するコントローラ３０とを有する構成とした。【選択図】図１
2008072525.tif 000002
【特許請求の範囲】
【請求項１】
デジタルテレビ放送信号を受信するデジタル放送受信機から得られる映像信号と、デジタルテレビ放送信号を受信する携帯端末から得られる映像信号との間で車載用表示装置への出力を選択的に切り換える選択手段と、
前記デジタル放送受信機の置かれた動作環境に応じて前記選択手段の出力を制御する制御手段と、
を有する車載用デジタル放送受信システム。
【請求項２】
前記制御手段は、前記デジタル放送受信機の置かれた動作環境が異常と判断した場合には、前記選択手段の出力をデジタル放送受信機から得られる映像信号から前記携帯端末から得られる映像信号へ切り換え、前記デジタル放送受信機の置かれた動作環境が正常に復帰したと判断した場合には、前記選択手段の出力をデジタル放送受信機から得られる映像信号に戻す、ことを特徴とする請求項１に記載の車載用デジタル放送受信システム。
【請求項３】
前記制御手段は、前記デジタル放送受信機の温度に基づいて前記動作環境が異常かを判断する、ことを特徴とする請求項２に記載の車載用デジタル放送受信システム。
【請求項４】
前記制御手段は、前記デジタル放送受信機の受信するデジタルテレビ放送信号の受信感度に基づいて前記動作環境が異常かを判断する、ことを特徴とする請求項２に記載の車載用デジタル放送受信システム。
【請求項５】
前記デジタル放送受信機と前記携帯端末とは、異なる帯域のデジタル放送信号を受信し、
前記制御手段は、前記選択手段の出力を制御するに際して、前記デジタル放送受信機の受信する放送内容と同じ放送内容のチャンネルを選択するように前記携帯端末の受信チャンネルを制御する、ことを特徴とする請求項１ないし４のいずれかに記載の車載用デジタル放送受信システム。
【発明の詳細な説明】
【技術分野】
【０００１】
本発明は、地上波デジタルテレビ放送等を車両内で受信する車載用デジタル放送受信システムに関する。
【背景技術】
【０００２】
日本国内においても地上デジタルテレビ放送が開始され、従来の地上アナログテレビ放送では得られない、高画質の映像、番組表、番組情報、天気予報などのデータ放送、双方向サービス等の利用が可能になっている。また、この地上デジタルテレビ放送を移動体である車両において視聴するための車載用のデジタル放送受信装置に関する技術も開発されている（例えば、特許文献１等参照）。
【特許文献１】特開２００３−２３４９７２号公報
【発明の開示】
【発明が解決しようとする課題】
【０００３】
ところで、デジタル放送受信装置を車載した場合には、デジタル放送受信装置を搭載するスペースは車両のダッシュボード周辺等の狭小スペースに限定されるため、家庭用のデジタル放送受信装置に比べて装置を小型化する必要がある。
デジタル放送受信装置を小型化すると、装置内の回路で発生する熱が装置の筐体内にこもりやすく、デコード回路等が高温になりやすい。また、車両内の温度は、天候等により大きく変動するので、家庭用のデジタル放送受信装置と比べて車載用のデジタル放送受信装置は高温環境下に置かれる可能性が高い。さらに、デジタル放送受信装置におけるデコード回路等は高周波信号を処理するため、発熱しやすい。
一般的な車載用のデジタル放送受信装置は、装置が一定の温度以上に上昇する動作環境に置かれると、回路等の故障を防止するために、高温であることを示すアラーム信号を出力すると共にデコード処理等を中断するように形成されている。このため、デコード処理を停止すると、アラーム信号が解除されるまで車両の搭乗者は映像を視ることができない。
また、車載用のデジタル放送受信装置では、車両の走行場所等によっては、デジタルテレビ放送波の電界強度が十分でない動作環境に置かれる可能性もあり、この場合にも、映像が完全に遮断され搭乗者は映像を視ることができない。
【０００４】
本発明は、上記の事情に鑑みて成されたものであり、その目的とするところは、車載用のデジタル放送受信機が異常な動作環境に置かれた場合であっても、デジタルテレビ放送の視聴が中断されるのを防ぐことができる車載用デジタル放送受信システムを提供することにある。
【課題を解決するための手段】
【０００５】
本発明に係る車載用デジタル放送受信システムは、デジタルテレビ放送信号を受信するデジタル放送受信機と、前記デジタル放送受信機から得られる映像信号とデジタルテレビ放送信号を受信する携帯端末から得られる映像信号との間で車載用表示装置への出力を選択的に切り換える選択手段と、前記デジタル放送受信機の置かれた動作環境に応じて前記選択手段の出力を制御する制御手段と、
を有する。
この構成によれば、デジタル放送受信機と携帯端末とのいずれかでデジタルテレビ放送信号を受信して映像を表示装置に出力できるので、デジタルテレビ放送の視聴が中断されるのを防ぐことができる。
【０００６】
上記構成において、前記制御手段は、前記デジタル放送受信機の置かれた動作環境が異常と判断した場合には、前記選択手段の出力をデジタル放送受信機から得られる映像信号から前記携帯端末から得られる映像信号へ切り換え、前記デジタル放送受信機の置かれた動作環境が正常に復帰したと判断した場合には、前記選択手段の出力をデジタル放送受信機から得られる映像信号に戻す、構成を採用できる。
【０００７】
上記構成において、前記制御手段は、前記デジタル放送受信機の温度に基づいて前記動作環境が異常かを判断する、構成を採用できる。
【０００８】
上記構成において、前記制御手段は、前記デジタル放送受信機の受信するデジタルテレビ放送信号の受信感度に基づいて前記動作環境が異常かを判断する、構成を採用できる。
【０００９】
上記構成において、前記デジタル放送受信機と前記携帯端末とは、異なる帯域のデジタル放送信号を受信し、前記制御手段は、前記選択手段の出力を制御するに際して、前記デジタル放送受信機の受信する放送内容と同じ放送内容のチャンネルを選択するように前記携帯端末の受信チャンネルを制御する、構成を採用できる。
【発明の効果】
【００１０】
本発明によれば、車載用のデジタル放送受信機が異常な動作環境に置かれた場合であっても、デジタルテレビ放送の視聴が中断されるのを防ぐことができる。
【発明を実施するための最良の形態】
【００１１】
以下、本発明の最良の実施形態について、添付図面を参照しつつ説明する。
図１は、本発明の一実施形態に係る車載用デジタル放送受信システムの構成図である。
この車載用デジタル放送受信システムは、デジタルテレビ放送受信機１０（以下、受信機１０という）、携帯電話２０、制御手段としてのコントローラ３０、選択手段としてのセレクタ４０、車載用表示装置としての表示装置５０等から構成される。
【００１２】
本実施形態に係る車載用デジタル放送受信システムは、日本国内の地上波デジタル放送用のものである。周知のように、国内における地上波デジタル放送では、6MHzの放送波を１３個の帯域（セグメント）に分割し、各セグメントごとに搬送波の変調方式や畳み込み符号の符号化率を選択できるようにされている。実際にはガード・バンドとして1セグメント分の帯域を用意するので，1セグメントの帯域は４２９ｋＨｚとなる。いわゆるワンセグは、この１セグメントを使った携帯電話等の移動体通信機（携帯端末）向けの放送サービスであり、残りの１２セグメントが地上デジタル放送に使用されている。1セグメント放送の内容についは、現在のところ１２セグメント放送と同じ映像を送信するサイマル放送である。
【００１３】
受信機１０は、図示しないアンテナで受けた上記した地上波デジタル放送（１２セグメント放送）のデジタルテレビ放送信号をデコードし、映像信号Ｖ１を抽出し、セレクタ４０を介して表示装置５０へ出力する。
受信機１０は、図示しない温度センサをその内部に備えており、受信機１０の内部温度が所定温度以上になると、高温警告信号ＨＴＳをコントローラ３０へ出力すると共に、受信したデジタルテレビ放送信号の処理を中断するように形成されている。また、内部温度が所定温度よりも下がると、高温警告信号ＨＴＳの出力を停止すると共に、デジタルテレビ放送信号の処理を再開するように形成されている。
【００１４】
また、受信機１０は、受信したデジタルテレビ放送信号の電界強度を示す受信感度信号ＳＳをコントローラ３０へ出力するように形成されている。
さらに、受信機１０は、図示しないが、現在受信中の放送のチャンネル情報をコントローラ３０へ出力可能に形成されている。
尚、デジタルテレビ放送受信機１０は、映像信号Ｖ１と共に音声信号を抽出するが、デジタルテレビ放送受信機１０の処理回路は周知技術なので、説明を省略する。
【００１５】
携帯電話２０は、上記したワンセグ放送のデジタルテレビ信号を受信してデコードして映像信号とし、これを自らの表示部に出力すると共に、セレクタ４０を介して表示装置５０へ出力可能に接続されている。
また、携帯電話２０は、コントローラ３０と接続されて、コントローラ３０からの制御信号ＣＴ１により電源のオン／オフやチャンネル選択が制御されるとともに、各種データＤＴ１をコントローラ３２へ出力できるように形成されている。
【００１６】
コントローラ３０は、プロセッサ、メモリ等のハードウエアと所要のソフトウエア等から構成されており、受信機１０が高温状態になった場合には、受信機１０から高温警告信号ＨＴＳが入力されると共に、受信機１０が受信するデジタルテレビ信号の受信感度ＳＳも入力される。
また、コントローラ３０は、携帯電話２０の電源のオン／オフ、受信チャンネルの切替等の制御をするために携帯電話２０に制御信号ＣＴ１を出力すると共に、携帯電話２０から各種データＤＴ１を受信可能に形成されている。
さらに、コントローラ３０は、セレクタ４０に対して映像信号を切り換えるための制御信号ＣＴ２を出力する。
【００１７】
セレクタ４０は、受信機１０からの映像信号Ｖ１と携帯電話２０からの映像信号Ｖ２との一方をコントローラ３０からの制御信号ＣＴ２に応じて選択し、選択映像信号ＳＶとして表示装置５０。尚、受信機１０からの映像と携帯電話２０からの映像とでは、受信機１０側の信号の情報量が多い分、受信機１０からの映像の画質が高い。
【００１８】
次に、コントローラ３０の処理の一例について図２ないし図４を参照して説明する。
図２はコントローラ３０のメイン処理の一例を示すフローチャート、図３は異常判別処理の一例を示すフローチャート、及び図４は復帰処理の一例を示すフローチャートである。尚、コントローラ３０は、図２に示す処理を周期的に繰り返し実行する。
【００１９】
先ず、図２に示すように、受信機１０、セレクタ４０、表示装置５０等からなるシステムが起動しているかを判断し（ステップＳＴ１）、起動していない場合には、処理を終了し、次回のタイミングまで待機する。
システムが起動している場合には、受信機１０の映像信号Ｖ１を選択映像信号ＳＶとして表示装置５０へ出力するように、セレクタ４０に対して制御信号ＣＴ２を出力する（ステップＳＴ２）。これにより、受信機１０の映像信号Ｖ１が選択映像信号ＳＶとして表示装置５０へ出力され、表示装置５０において地上デジタルテレビ放送が視聴できる。
【００２０】
次いで、携帯電話２０が接続されているかを判断し（ステップＳＴ３）、接続されていない場合には、処理を終了し、接続されている場合には、後述する異常判別処理を実行する（ステップＳＴ４）。
次いで、異常判別処理を実行したのち、異常発生を示す異常フラグがオンしているかを判断し（ステップＳＴ５）、異常フラグがオフしている場合には、処理を終了し、異常フラグがオンしている場合には後述する復帰処理を実行する８ステップＳＴ６）。
【００２１】
次に、上記した異常判別処理について図３を参照して説明すると、先ず、受信機１０の現在受信している受信チャンネル情報を受信機１０から取得する（ステップＳＴ４１）。
次いで、受信機１０からの高温警告信号ＨＴＳがオンしていないかを判断する（ステップＳＴ４２）。すなわち、受信機１０の動作環境である受信機１０内の温度が異常かを判断する。
高温警告信号ＨＴＳがオフ状態、すなわち、受信機１０内の温度が異常でない場合には、受信機１０からの受信感度ＳＳが所定以下かどうかを判断する（ステップＳＴ４３）。すなわち、受信機１０のデジタルテレビ信号を受信するための動作環境が異常かを判断する。異常でない場合には、処理を終了する。
【００２２】
ステップＳＴ４２において、高温警告信号ＨＴＳがオンしている場合（受信機１０はデコード処理を中断している）、あるいは、ステップＳＴ４３において、の受信感度ＳＳが所定以下の場合には、受信機１０の現在の動作環境が異常と判断する。
この場合には、携帯電話２０の電源がオンしているかを判断し（ステップＳＴ４４）、電源がオフの場合には、制御指令ＣＴ１を携帯電話２０へ出力する（ステップＳＴ４５）。
そして、携帯電話２０の電源がオンしている場合には、受信機１０の現在受信しているチャンネルと同じ内容の放送をしている１セグメント放送のチャンネルに切り換える（ステップＳＴ４６）。これにより、受信機１０の受信している放送内容と携帯電話２０の受信している放送内容とが同じになる。
【００２３】
次いで、セレクタ４０へ制御信号ＣＴ２を出力して、セレクタ４０の選択映像信号ＳＶを受信機１０の映像信号Ｖ１から携帯電話２０の映像信号Ｖ２へ切替える（ステップＳＴ４６）。これにより、表示装置５０には、映像信号Ｖ２に基づく映像が出力され、地上デジタルテレビ放送と同内容の１セグメント放送を視聴できる。すなわち、ユーザは受信機１０の映像信号Ｖ１から携帯電話２０の映像信号Ｖ２への切替によって、継続して同一内容の放送を視聴できる。
また、１セグメント放送は、移動体通信用であるので、受信できる範囲が地上デジタルテレビ放送よりも広範囲であり、地上デジタルテレビ放送の受信感度が低下しても、１セグメント放送は受信可能である。このため、受信機１０の受信感度ＳＳが低下した場合に、表示装置５０へ出力する選択映像信号ＳＶを映像信号Ｖ１から映像信号Ｖ２に切替えると、継続して同一内容の放送を視聴できる。
【００２４】
次に、上記した復帰処理について図４を参照して説明すると、先ず、高温警告信号ＨＴＳがオフとなっているかを判断する（ステップＳＴ６１）。すなわち、受信機１０の温度が低下してデコード処理を再開したかを判断する。高温警告信号ＨＴＳがオンしている場合には、処理を終了する。
一方、高温警告信号ＨＴＳがオフしている場合には、受信機１０の受信感度ＳＳが所定以上に復元したかを判断し、復元していない場合には、処理を終了し、復元した場合には、セレクタ４０へ制御信号ＣＴ２を出力して、セレクタ４０の選択映像信号ＳＶを携帯電話２０の映像信号Ｖ２から受信機１０の映像信号Ｖ１へ切替える（ステップＳＴ６３）。これにより、表示装置５０には、映像信号Ｖ１１に基づく映像が出力され、再び地上デジタルテレビ放送を視聴できる。
そして、携帯電話２０へ制御信号ＣＴ１を出力してその電源をオフし（ステップＳＴ６４）、異常な動作環境が正常な動作環境に復帰したので、異常フラグをオフする（ステップＳＴ６５）。
【００２５】
以上のように、本実施形態によれば、デジタルテレビ信号の受信環境や受信機１０の温度環境等の動作環境が異常な場合には、代替的に携帯電話２０のデジタルテレビ信号を受信機能を用いて表示装置５０に映像を出力できるので、ユーザ操作を要することなく、デジタルテレビ放送の視聴が中断されるのを防ぐことができる。
【００２６】
上記実施形態では、携帯端末として携帯電話２０を例に挙げて説明したが、携帯電話２０以外にも１セグメント放送を受信できる携帯端末であれば本発明に適用可能である。
また、上記実施形態では、受信機１０で受信した放送内容と携帯電話２０で受信した放送内容とが同じになるように制御したが、異なる内容の放送の映像を出力するようにすることもできる。
【図面の簡単な説明】
【００２７】
【図１】本発明の一実施形態に係る車載用デジタル放送受信システムの構成図である。
【図２】コントローラにおけるメインルーチンの処理の一例を示すフローチャートである。
【図３】図２の異常判別処理ルーチンの一例を示すフローチャートである。
【図４】図２の復帰処理ルーチンの一例を示すフローチャートである。
【符号の説明】
【００２８】
１０…デジタルテレビ放送受信機（デジタルテレビ放送受信機）
２０…携帯電話（携帯端末）
３０…コントローラ（制御手段）
３１…異常判別部
３２…携帯電話通信・制御部
３３…セレクタ制御部
４０…セレクタ（選択手段）
５０…表示装置（車載用表示装置）
Ｖ１，Ｖ２…映像信号
ＳＶ…選択映像信号（出力）
【図１】
2008072525.tif 000003
【図２】
2008072525.tif 000004
【図３】
2008072525.tif 000005
【図４】
2008072525.tif 000006